(57)【特許請求の範囲】
【請求項１】
液晶表示板の後方に照明装置を有した液晶用照明装置において、
略矩形の光学用シートと、
前記光学用シートの各辺の略中央部を押さえて保持するシャーシと、
を備えたことを特徴とする液晶用照明装置。
【請求項２】
前記シャーシは湾曲部を有し、前記シャーシは前記湾曲部の頂部で前記光学用シートを押さえて保持することを特徴とする請求項１に記載の液晶用照明装置。
【請求項３】
前記シャーシは、シート状または板状の押さえ部材を介して前記光学用シートを押さえて保持することを特徴とする請求項１に記載の液晶用照明装置。
【請求項４】

前記押さえ部材は、半透明色または透明色あるいは前記シャーシと同色であることを特徴とする請求項３に記載の液晶用照明装置。
【発明の詳細な説明】
【０００１】
【発明の属する技術分野】
本発明は、透過型液晶表示装置の照明装置に関する。
【０００２】
【従来の技術】
従来の液晶用照明装置の構造は、図７に示すように、下面に拡散パターンが成型または印刷された導光板７の下に、反射板８を配置し、導光体７の入射部近傍に管状光源６を配置し、管状光源６の外側に反射板５を配置し、導光板７の上に拡散シート４を配置する。
【０００３】
その上に集光効果を有するシート３、光偏向選択性反射透過シート２、拡散効果を有するシート４、シャーシ９および液晶表示板１が配置される。この時、拡散効果を有するシート４とシャーシ９のクリアランスは、０．２ｍｍである。
【０００４】
【発明が解決しようとする課題】
熱収縮が大きくベース基材も熱ストレスによる変形が起こりやすい光学用シートを液晶表示装置に配置する場合、図８に示すように、例えば約２５°Ｃでも光源による熱的要因によって液晶表示上該シートに波状のたわみがシート端部の４辺に発生する。
【０００５】
この表示上の局所的なたわみは、正面から観察する限りでは検出することが困難である。しかし、上下左右斜めからの観察すれば確認できる。図９に示すように、拡散効果を有するシート４とシャーシ９クリアランスを、０．１ｍｍにした場合には、約２５°Ｃでは光源による熱的要因によって液晶表示装置の上部に該シートに波状のたわみが発生しないが、６０°Ｃではシート端部の４辺にたわみが発生し、正面から観察して検出することができた。
【０００６】
図１０に示すように、シート全部の辺端部を固定し拡散効果を有するシート４とシャーシ９のクリアランスを０ｍｍにした場合には、約２５°Ｃでは光源による熱的要因によって液晶表示装置の上部に該シートに波状のたわみが発生しないが、６０°Ｃではシート端部の４辺にたわみが発生し、正面から観察して検出することができ図９に示す場合よりも大きなたわみであった。
【０００７】
また、熱収縮が小さくベース基材も熱ストレスによる変形が起こりにくい光学用シートを液晶表示装置に配置する場合、図５に示すように、例えば約２５°Ｃでも光源による熱的要因によって液晶表示装置の上部に該シートに波状のたわみがシート端部の４辺に発生する。
【０００８】
この表示部分の上に現れる局所的なたわみは、正面から観察する限りでは検出することが困難である。しかし、上下左右斜めからの観察すれば確認できる。
【０００９】
図６に示すように、拡散効果を有するシート４とシャーシ９のクリアランスを、０．１ｍｍにした場合には、約２５°Ｃでは光源による熱的要因によって液晶表示装置の上部には該シートに波状のたわみが発生しないが、６０°Ｃではシート端部の４辺にたわみが発生し、正面から観察して検出することができた。
【００１０】
図７に示すように、シート全部の辺端部を固定しシート９とシャーシ１０のクリアランスを、０ｍｍにした場合には、約２５°Ｃでは光源による熱的要因によって液晶表示上該シートに波状のたわみが発生しないが、６０°Ｃではシート端部の４辺にたわみが発生し、正面から観察して検出することができ図９よりも大きなたわみであった。
【００１１】
本発明は、液晶用照明装置として、シートの熱収縮が大きくベース基材も熱ストレスによる変形が起こりやすい光学用シートを液晶表示装置に配置する場合、熱的要因によって液晶表示装置の上部に検出される、波状のたわみ発生を解決することを目的とする。
【００１２】
【課題を解決するための手段】
本発明の液晶用照明装置は、液晶表示板の後方に照明装置を有した液晶用照明装置において、略矩形の光学用シートと、前記光学用シートの各辺の略中央部を押さえて保持するシャーシと、を備えたことを特徴としている。
【００１３】
また本発明は、上記構成の液晶用照明装置において、前記シャーシは湾曲部を有し、前記シャーシは前記湾曲部の頂部で前記光学用シートを押さえて保持することを特徴としている。
【００１４】
また本発明は、上記構成の液晶用照明装置において、前記シャーシは、シート状または板状の押さえ部材を介して前記光学用シートを押さえて保持することを特徴としている。
【００１５】
また本発明は、上記構成の液晶用照明装置において、前記押さえ部材は、半透明色または透明色あるいは前記シャーシと同色であることを特徴としている。
【００１６】
以下、上記構成によれば、液晶表示の４コーナに波状のたわみを押しやり中央部のたわみを発生させない一方、周辺部のたわみも軽減する。
また前記押さえ部材は、半透明色または透明色あるいは前記シャーシと同色であるためにたわみが検出されにくく、液晶表示装置にこのような構成を用いた照明装置を組込んだ場合には、表示品位を低下させることがない。
【００１７】
【発明の実施の形態】
本発明の実施の形態について以下に説明する。
（実施の形態１）
図１は本実施の形態１に係わる液晶用照明装置を示す断面図であり、図２は図１の部分的断面図である。図６は本実施の形態１に係わる液晶用照明装置の表示状態を示す図である。
【００１８】
図１に示すように、導光体７の下に反射板８を配設した。光偏向選択性反射透過シート２として、例えば３Ｍ社製ＤＢＥＦの上に拡散効果を有するシート４を配設する。光偏向選択性反射透過シート２の特徴は、液晶表示装置の下側偏向板に光が吸収されることなく、選択的に反射する機能を有する。
【００１９】
３Ｍ社製ＤＢＥＦの材料は、ポリエチレンテレフタレート（以下ＰＥＴと記す）からなるが、上記の機能を有するものであれば、ＤＢＥＦに特定するものではない。実施の形態１では、拡散効果を有するシート４として恵和商工株式会社製ＰＣ−０３を使用した。ＤＢＥＦの中央端部をポリカーボネート製又はガラス繊維混合樹脂からなる、シャーシ９形状を湾曲させ局部的に押さえる構造とした。
【００２０】
ポリカーボネート製又はガラス繊維混合樹脂からなる、シャーシ９形状を形成する材料を選択する条件としては摩擦抵抗が小さな材料を選択することが重要であり、摩擦抵抗が小さな材料であれば、本実施の形態１で使用した材料に特定されるものではない。
【００２１】
上記の構造を実現したときの、クリアランスは、各シート辺の中央部と該シャーシ間を０〜＋０．１ｍｍとし、シート両端部とシャーシ９間を０．２ｍｍとした。
【００２２】
（実施の形態２）
図３は本実施形態２に係わる液晶用照明装置を示す断面図であり、図４は図３の部分的断面図である。図５は本実施形態２に係わる液晶用照明装置のシャーシ９以外の部材に別パーツ１０（シートあるいは板状体）を設置した部分的断面図である。
【００２３】
図３に示すように、光偏向選択性反射透過シート２の辺中央端部を別パーツ１０（シートあるいは板状体）と湾曲状の成型品で局所的に押さえる構造とした。
【００２４】
この時、該別パーツ１０（シートまたは板状体）と湾曲状の成型品はシート端部に近接保持しているシャーシ９に接着する点が実施の形態２の特徴でありこの点が上記実施の形態１と相違する点である。
【００２５】
その他は実施の形態１と同様に光偏向選択性反射透過シート２として３Ｍ社製ＤＢＥＦを用いた。また、拡散効果を有するシート４として恵和商工株式会社製ＰＣ−０３を使用した。ＤＢＥＦの中央端部をポリカーボネート製又はガラス繊維混合樹脂からなる、シャーシ９形状を湾曲させ局部的に押さえる構造とした。
【００２６】
ポリカーボネート製又はガラス繊維混合樹脂からなる、シャーシ９を用いた。上記構造を実現したときの、クリアランスは、各シート辺の中央部と該シャーシ９間を０〜＋０．１ｍｍとし、シート両端部とシャーシ９間を０．２ｍｍ以上とした。
【００２７】
（実施の形態３）
図３は本実施形態３に係わる液晶表示装置を示す断面図であり、図４は図３の部分的断面図である。図５は本実施形態３に係わる液晶表示装置のシャーシ９部以外の部材に別パーツ１０（シートあるいは板状体）を設置した部分的断面図である。図３に示すように、光偏向選択性反射透過シート２の辺中央端部を別パーツ１０（シートまたは板状体）と湾曲状の成型品で局所的に押さえる構造とした。この時、別パーツ１０（シートまたは板状体）と湾曲状の成型品はシート端部に近接保持しているポリカーボネート製又はガラス繊維混合樹脂からなる、シャーシ９と色調を同じとした。本実施の形態３では光反射を押さえる目的に合致する黒色を採用したが、光反射を逆に利用する用途の場合には白色を採用してもよい。
【００２８】
又、黒色、白色以外であっても同色あるいは透明あるいは半透明の色調に統一することでもよい。
【００２９】
（比較例１）
図１１は図８に示す、従来例１のシートを押さえない条件で、熱ストレスに対して変形が起こりにくい光学用シートを用いた場合での、たわみの発生状態を管状光源６を点灯してから３０分後と２時間後の状態を追跡したものである。
【００３０】
（比較例２）
図１２は図９に示す、従来例２のシート全部の辺を押さえた条件で、熱ストレスに対して変形が起こりにくい光学用シートを用いた場合での、たわみの発生状態を管状光源６を点灯してから３０分後と２時間後の状態を追跡したものである。
【００３１】
（比較例３）
図１３は図１０に示す、従来例３のシート全部の辺を固定した条件で、熱ストレスに対して変形が起こりにくい光学用シートを用いた場合での、たわみの発生状態を管状光源６を点灯してから３０分後と２時間後の状態を追跡したものである。
【００３２】
以上説明した通り、比較例１〜比較例３の結果から、熱ストレスに対して変形が起こりにくい光学用シートを用いた場合では、たわみの発生状態は管状光源６を点灯してから３０分後と２時間後の状態は改善されるものの、光学用シートの固定方法変えないかぎり大幅なたわみの改善が図れないことを確認できた。
【００３３】
【発明の効果】
以上説明したように、本発明の液晶表示装置によれば、液晶表示の４コーナに波状のたわみを押しやり中央部のたわみを発生させない一方、周辺部のたわみも軽減する効果を奏する。
【００３４】
また前記押さえ部材は、半透明色または透明色あるいは前記シャーシと同色であるため、たわみが検出されにくくなり、表示品位の低下を防止する効果を奏する。
【図面の簡単な説明】
【図１】本発明の実施の形態１に係わる断面図である。
【図２】図１の液晶照明用装置の部分的断面図である。
【図３】本発明の実施の形態２に係わる断面図である。
【図４】図３の液晶照明用装置の部分的断面図である。
【図５】本発明の実施の形態２に係わる液晶用照明装置のシャーシ部分以外の部材にシートあるいは板状体を設置した断面図である。
【図６】図１の液晶照明用装置の表示状態を示す図である。
【図７】従来技術１に係わるの液晶用照明装置の断面図である。
【図８】従来技術１に係わる液晶照明装置の表示状態を示す図である。
【図９】従来技術２に係わる液晶照明装置の表示状態を示す図である。
【図１０】従来技術３に係わる液晶照明装置の表示状態を示す図である。
【図１１】比較例１に係わる液晶照明装置の表示状態を示す図である。
【図１２】比較例２に係わる液晶照明装置の表示状態を示す図である。
【図１３】比較例３に係わる液晶照明装置の表示状態を示す図である。
【符号の説明】
１      液晶表示板
２      光偏光選択性反射透過シート
３      集光効果を有するシート
４      拡散効果を有するシート
５      反射板
６      管状光源
７      導光体
８      反射板
９      シャーシ
１０      別パーツ（シート状または板状体）
【図１】
0003982903.tif 000002
【図２】
0003982903.tif 000003
【図３】
0003982903.tif 000004
【図４】
0003982903.tif 000005
【図５】
0003982903.tif 000006
【図６】
0003982903.tif 000007
【図７】
0003982903.tif 000008
【図８】
0003982903.tif 000009
【図９】
0003982903.tif 000010
【図１０】
0003982903.tif 000011
【図１１】
0003982903.tif 000012
【図１２】
0003982903.tif 000013
【図１３】
0003982903.tif 000014